(57)【特許請求の範囲】
【請求項１】
液晶表示素子と、該液晶表示素子を収納し、側壁の外周側から突出した爪部を有する箱形のケースと、外周部に設けられた側面板の下方に延出した腕部を有する金属板からなる取付部材とを備え、前記爪部は、前記側壁の上部から下部に行くに従って漸次高くなる傾斜面が形成されると共に、前記爪部が設けられた前記側壁の裏面に空隙部を設け、前記腕部は、前記取付部材の側面板に連結された自由端状の係止部を有し、前記係止部を前記爪部の前記傾斜面に当接させて前記腕部を前記爪部に圧入すると、前記腕部の前記係止部が前記爪部に係止されて、前記取付部材と前記ケースとにより液晶表示素子が挟持されることを特徴とする液晶表示装置。
【請求項２】
前記取付部材の少なくとも相対向する２つの側面板から下方に延出された誘導片を有すると共に、前記ケースの少なくとも相対向する２つの側壁に前記誘導片を案内する誘導溝を有し、前記取付部材の前記ケースへの取り付け時、前記誘導片が前記誘導溝に案内されるようにしたことを特徴とする請求項１に記載の液晶表示装置。
【請求項３】
前記取付部材の側面板の下方に位置し、前記ケースの前記側壁の外側面から突出して設けられたストッパーを設け、前記取付部材の前記ケースへの取り付け時、前記取付部材の下端が前記ストッパーに当接するようにしたことを特徴とする請求項２に記載の液晶表示装置。
【請求項４】
前記ケースには柱状の位置決めボスを設けると共に、前記取付部材には上下方向に貫通した位置決め孔を設け、前記位置決めボスの先端部を前記位置決め孔に嵌合したことを特徴とする請求項１乃至３のいずれか1項に記載の液晶表示装置。
【請求項５】
少なくとも前記取付部材及び前記ケースの対角位置に、前記位置決めボス及び前記位置決め孔を設けたことを特徴とする請求項４に記載の液晶表示装置。
【請求項６】
前記爪部の前記傾斜面と接触する前記腕部の下端角部に傾斜面を設けたことを特徴とする請求項１乃至５のいずれか1項に記載の液晶表示装置。
【請求項７】
前記腕部の前記傾斜面は、前記爪部の前記傾斜面より傾斜角度が大きいことを特徴とする請求項６記載の液晶表示装置。
【発明の詳細な説明】
【０００１】
【発明の属する技術分野】
本発明は、液晶表示装置に関するものであり、特に液晶表示装置を収納するケース、及び、ケースに取り付ける取付部材の取付構造に関する。
【０００２】
【従来の技術】
図５は、従来の液晶表示装置の斜視図、図６は、従来の液晶表示装置の分解斜視図である。合成樹脂の成型品からなり、上部が開放された箱形のケース２１は、底面板２１ａと、底面板２１ａの外周に設けられた４つの側壁２１ｂと、側壁２１ｂの外側面下部に設けられた複数個の凹部２１ｃとで構成されている。
【０００３】
また、液晶材が封入された平板状の液晶表示素子２２、細長い棒形状をなしたランプ２３、及び、プリント配線板に電子部品等が搭載された制御部２４が、ケース２１に収納されている。また、制御部２４と液晶表示素子２２とが電気的に接続されるとともに、ここでは図示しないが、導光体が液晶表示素子２２と底面板２１ａとの間に配置されている。
【０００４】
金属板からなる取付部材２５は、上面板２５ａと、上面板２５ａに形成された開口部２５ｂと、上面板２５ａの外周部を折り曲げて形成された複数の側面板２５ｃと、側面板２５ｃから下方に一体に伸びた複数のＬ字状の腕部２５ｄとで構成されている。また、開口部２５ｂは、液晶表示素子２２の有効表示領域よりも大きく開口されている。また、腕部２５ｄは、側面板２５ｃと連結された基部２５ｅと、基部２５ｅと連結され、水平方向に長く形成された水平部２５ｆとによりＬ字状に構成されている。
【０００５】
取付部材２５は、ケース２１の上方を覆うように被せられ、ケース２１内に収納されたランプ２３及び制御部２４が上面板２５ａによって覆い隠されるとともに、導光体（図示せず）及びその上部の液晶表示素子２２が、開口部２５ｂの外周の上面板２５ａとケース２１の底面板２１ａとにより挟持され、液晶表示素子２２の有効表示領域が開口部２５ｂより露出された状態で取り付けられている。また、取付部材２５は、図５に示したように、腕部２５ｄの水平部２５ｆを凹部２１ｃの内方へ折り曲げることによりケース２１に固定され、従来の液晶表示装置が構成されている。
【０００６】
【発明が解決しようとする課題】
従来の液晶表示装置では、取付部材２５をケース２１へ固定するには、全ての腕部２５ｄを凹部２１ｃの内方へ折り曲げることによりおこなっているため、組立に手間がかかり、生産性が悪かった。また、生産性を向上させるために腕部２５ｄの折曲部２５ｆを効率よく折り曲げる作業を行うには専用の治具が必要であり、この専用の治具を導入することに依り製造コストの上昇を招いていた。
【０００７】
また、取付部材２５、ケース２１は、製造に際してばらつきが生じ、このため、取付部材２５をケース２１に取り付ける際に、取付部材２５の腕部２５ｄとケース２１の凹部２１ｃとの位置合わせを行わなければならず、しかも、取付部材２５のケース２１への位置合わせが、正確に行われているかどうかを確認する手段が無かった。
【０００８】
【課題を解決するための手段】
前記課題を解決するための第１の解決手段として、本発明の液晶表示装置は、液晶表示素子と、該液晶表示素子を収納し、側壁の外周側から突出した爪部を有する箱形のケースと、外周部に設けられた側面板の下方に延出した腕部を有する金属板からなる取付部材とを備え、前記爪部は、前記側壁の上部から下部に行くに従って漸次高くなる傾斜面が形成されると共に、前記爪部が設けられた前記側壁の裏面に空隙部を設け、前記腕部は、前記取付部材の側面板に連結された自由端状の係止部を有し、前記係止部を前記爪部の前記傾斜面に当接させて前記腕部を前記爪部に圧入すると、前記腕部の前記係止部が前記爪部に係止されて、前記取付部材と前記ケースとにより液晶表示素子が挟持される構成とした。
【０００９】
また、第２の解決手段として、本発明の液晶表示素子は、前記取付部材の少なくとも相対向する２つの側面板から下方に延出された誘導片を有すると共に、前記ケースの少なくとも相対向する２つの側壁に前記誘導片を案内する誘導溝を有し、前記取付部材の前記ケースへの取り付け時、前記誘導片が前記誘導溝に案内されるようにした構成とした。
【００１０】
また、第３の解決手段として、本発明の液晶表示素子は、前記取付部材の側面板の下方に位置し、前記ケースの前記側壁の外側面から突出して設けられたストッパーを設け、前記取付部材の前記ケースへの取り付け時、前記取付部材の下端が前記ストッパーに当接するようにした構成とした。
【００１１】
また、第４の解決手段として、本発明の液晶表示素子は、前記ケースには柱状の位置決めボスを設けると共に、前記取付部材には上下方向に貫通した位置決め孔を設け、前記位置決めボスの先端部を前記位置決め孔に嵌合した構成とした。
【００１２】
また、第５の解決手段として、本発明の液晶表示装置は、少なくとも前記取付部材及び前記ケースの対角位置に、前記位置決めボス及び前記位置決め孔を設けた構成とした。
また、第６の解決手段として、前記爪部の前記傾斜面と接触する前記腕部の下端角部に傾斜面を設けた構成とした。
また、第７の解決手段として、前記腕部の前記傾斜面は、前記爪部の前記傾斜面より傾斜角度が大きい構成とした。
【００１６】
【発明の実施の形態】
以下に、本発明の液晶表示装置の実施の形態について説明する。図１は、本発明の液晶表示装置の斜視図、図２は、本発明の液晶表示装置の分解斜視図、図３は、図２における要部の説明図であり、同図Ａは要部の正面図、同図Ｂは、同図Ａの３Ｂ−３Ｂ線における断面図、同図Ｃは、同図Ａの３Ｃ−３Ｃ線における断面図である。また、図４は、図３Ｃにおける要部の断面図であり、同図Ａは、ケースの断面図、同図Ｂは取付部材の断面図、同図Ｃは取付部材の他の断面図である。
【００１７】
合成樹脂の成型品からなり、上部が開放された箱形のケース１は、底面板１ａと、底面板１ａの外周に設けられた４つの側壁１ｂと、ケース１の内側の底面板１ａあるいは側壁１ｂの上面に設けられた複数の位置決めボス１ｃと、側壁１ｂの外側面から突出して設けられた複数の爪部１ｄと、爪部１ｄの下方の側壁１ｂに設けられた複数個の凹部１ｅと、爪部１ｄが突出している側壁１ｂの裏側に設けられた空隙部１ｆと、側壁１ｂの外側面から突出して設けられた複数の凸部１ｇと、２つの凸部１ｇの間隙により構成された誘導溝１ｈと、側壁１ｂの外側面から突出して設けられたストッパー１ｉとで構成されている。
【００１８】
側壁１ｂは、図３Ｂに示すように、底面板１ａと連結している内側面下部が厚肉とされている。また、位置決めボス１ｃは、ケース１内の底面板１ａあるいは側壁１ｂと一体に複数個設けられ、底面板１ａと垂直となる柱状をなしている。この位置決めボス１ｃは、少なくとも底面板１ａの対角位置に設けてなる。また、爪部１ｄは、側壁１ｂの外側に複数個設けられ、側壁１ｂの上部から下部へ行くに従って側壁１ｂの外側面からの突出高さが漸次大きくなるように形成され、突出高さが変化している傾斜面Ｎが設けられている。また、爪部１ｄの下面Ｌは、底面板１ａと略平行になるように設けられている。
【００１９】
また、凹部１ｅは、図３Ｃに示すように、側壁１ｂ下部の厚肉部分に設けられておいる。また、空隙部１ｆは、爪部１ｄが設けられている側壁１ｂの裏側の厚肉部を除して設けられている。
【００２０】
また、凸部１ｇは、側壁１ｂの外側面の下部が厚肉とされることにより、外側面から突出して複数個設けられている。また、誘導溝１ｈは、２つの凸部１ｇの、底面板１ａと垂直であり、対向した２つの面が形成する間隙により構成されている。この誘導溝１ｈは、少なくとも相対向する２つの側壁１ｂに設けられる。また、ストッパー１ｉは、側壁１ｂの外側面の下部が厚肉とされ、図１、図２に示すように、凸部１ｇと一体化されて外側面に突出して複数個設けられ、その上面Ｕは底面板１ａと略平行とされている。尚、凸部１ｇとストッパー１ｉとは、一体化されていなくとも良い。
【００２１】
また、液晶材が封入された平板状の液晶表示素子２、細長い棒形状をなしたランプ３、及び、プリント配線板に電子部品等が搭載された制御部４が、ケース１に収納されている。また、制御部４と液晶表示素子２とが電気的に接続されるとともに、導光体５が液晶表示素子２と底面板１ａとの間に配置されている。
【００２２】
金属板からなる取付部材６は、上面板６ａと、上面板６ａに形成された開口部６ｂと、上面板６ａに穿設された複数の位置決め孔６ｃと、上面板６ａの外周部を折り曲げて形成された４つの側面板６ｄと、側面板６ｄから下方に一体に伸びた複数のＬ字状の腕部６ｅと、側面板６ｄの下方に一体に伸びた複数の誘導片６ｆとで構成されている。
【００２３】
開口部６ｂは、液晶表示素子２の有効表示領域よりも大きく開口されている。また、位置決め孔６ｃは、図１、図２に示すように、上面板６ａに貫通して複数個設けられ、少なくとも上面板６ａの対角位置に設けてなる。
【００２４】
また、腕部６ｅは、側面板６ｄと連結された基部６ｇと、基部６ｇと連結され、水平方向に長く形成された係止部６ｈとからなる。また、誘導片６ｆは、少なくとも相対向する２つの側面板６ｄの下方に延出して設けられ、側壁１ｂに設けられた誘導溝１ｈの幅よりも若干幅狭に形成されている。
【００２５】
取付部材６は、ケース１の上方を覆うように被せられ、ケース１内に収納されたランプ３及び制御部４が上面板６ａによって覆い隠されるとともに、導光体５及びその上部の液晶表示素子２が、開口部６ｂの外周の上面板６ａとケース１とにより挟持され、液晶表示素子２の有効表示領域が開口部６ｂより露出された状態で取り付けられている。また、位置決めボス１ｃは、その先端部が位置決め孔６ｃ内に嵌合されている。また、腕部６ｅは、その係止部６ｈで爪部１ｄに係止されている。また、誘導片６ｆは、誘導溝１ｈを構成する２つの凸部１ｇ間に位置されている。
【００２６】
取付部材６がケース１に取り付けられた状態では、位置決め孔６ｃ内から位置決めボス１ｃの先端部が外部より視認できる程度に突出している。また、腕部６ｅの係止部６ｈの上面と、爪部１ｄの下面Ｌとが接触して係止されている。また、ストッパー１ｉの上面Ｕと側面板６ｄの下端とはごく小さな距離をおいて、略平行に配設されている。
【００２７】
本発明の液晶表示装置を組み立てるには、まず、ケース１内の所定位置に、導光体５及びランプ３を収納し、導光体５の上部には、側部に制御部４が取り付けられた液晶表示素子２を配設する。次に、誘導片６ｆを誘導溝１ｈに挿入し案内されるようにして、併せて、位置決めボス１ｃが位置決め孔６ｃに嵌合されるように位置決めして、取付部材６をケース１の上方に被せる。次に、誘導片６ｆを誘導溝１ｈで案内させながら、腕部６ｅの係止部６ｈを爪部１ｄの傾斜面Ｎに当接させ、係止部６ｈの上面が爪部１ｄの下面Ｌを越えるまで取付部材６をケース１に押し付けて圧入する。この際、爪部１ｄが設けられている側壁１ｂは、その裏側に設けられている空隙部１ｆ方向へ撓むため、腕部６ｅの圧入がスムーズに行われる。また、取付部材６を押し付けた際に、ストッパー１ｉの上面Ｕが取付部材６の側面板６ｄの下端と当接し、過剰な押し付けを規制すると共に、嵌合後のガタツキを防止し嵌合を安定させる。最後に、位置決めボス１ｃの先端部が位置決め孔６ｃに嵌合されているのを目視により確認して、取付部材６のケース１への取り付けが完了する。
【００２８】
図３に示したように、取付部材６がケース１に取り付けられた状態において、側面板６ｄの下端とストッパー１ｉの上面Ｕとの距離Ｃ１は、ごく小さく、また、腕部６ｅの係止部６ｈの下端と底面板１ａの下面との距離Ｃ２は、Ｃ１よりも大きいものとする。このような関係とすることで、取付部材６を押し付けてケース１に取り付ける際に、爪部１ｄとの係止が良好になされる。
【００２９】
尚、図４Ｂに示したように、爪部１ｄの傾斜面Ｎと接触する腕部６ｅの角部Ｅを、面打ち加工等により、バリが無いようにしてなめらかに面取りしておく。あるいは、図４Ｃに示したように、腕部６ｅの角部Ｅを含む部分を、曲げ加工等により外側へ折り曲げておく。これらの場合、腕部６ｅの側面板６ｄとの面取り角度ＹあるいはＺは、爪部１ｄの傾斜面Ｎと側壁１ｂとの傾斜角度Ｘよりも大きいものとする。このようにすることで、腕部６ｅの爪部１ｄへの係止がスムーズに行われる。
【００３０】
【発明の効果】
本発明の液晶表示装置によれば、爪部１ｄは、側壁１ｂの上部から下部に行くに従って漸次高く形成されると共に、爪部１ｄが設けられた側壁１ｂの裏側に空隙部１ｆを設けることにより、液晶表示装置を組み立てる際に、腕部６ｅの係止部６ｈを爪部１ｄの傾斜面Ｎに当接させると、爪部１ｄが設けられている側壁１ｂが空隙部１ｆ方向へ撓むため、腕部６ｅの爪部１ｄへの圧入をスムーズに行うことができる。
更に、腕部６ｅを爪部１ｄに圧入して、腕部６ｅと爪部１ｄとが係止され、取付部材６とケース１とにより液晶表示素子２が挟持されることにより、液晶表示装置の組み立てが容易となり、併せて組み立てのための専用の治具が不要となるため、生産性が向上する。
【００３１】
また、取付部材６の少なくとも相対向する２つの側面板６ｄから下方に延出された誘導片６ｆを有すると共に、ケース１の少なくとも相対向する２つの側壁１ｂに誘導片６ｆを案内する誘導溝１ｈを有し、取付部材６のケース１への取り付け時、誘導片６ｆが誘導溝１ｈに案内されるようにしたことにより、取付部材６をケース１に取り付ける際に正しい嵌合が促され、組立が容易となり、生産性がより向上する。
【００３２】
また、取付部材６の側面板６ｄの下方に位置し、ケース１の側壁１ｂの外側面から突出して設けられたストッパー１ｉを設け、取付部材６のケース１への取り付け時、取付部材６の下端がストッパー１ｉに当接するようにしたことにより、取付部材６を液晶表示素子２やランプ３等が収納されたケース１に押し付けて取り付ける際に、誤って取付部材６を過剰に押し付けた場合にも、ストッパー１ｉの上面Ｕが取付部材６の側面板６ｄを規制するため、液晶表示素子２やランプ３に必要以上に荷重が加わるのを防止でき、液晶表示素子２やランプ３等が破損するのを防ぐことができる。
【図面の簡単な説明】
【図１】本発明の液晶表示装置の斜視図である。
【図２】本発明の液晶表示装置の分解斜視図である。
【図３】図２における要部の説明図である。
【図４】図３Ｃにおける要部を分解した断面図である。
【図５】従来の液晶表示装置の斜視図である。
【図６】従来の液晶表示装置の分解斜視図である。
【符号の説明】
１  ケース
１ａ  底面板
１ｂ  側壁
１ｃ  位置決めボス
１ｄ  爪部
１ｅ  凹部
１ｆ  空隙部
１ｇ  凸部
１ｈ  誘導溝
１ｉ  ストッパー
２  液晶表示素子
３  ランプ
４  制御部
５  導光体
６  取付部材
６ａ  上面板
６ｂ  開口部
６ｃ  位置決め孔
６ｄ  側面板
６ｅ  腕部
６ｆ  誘導片
６ｇ  基部
６ｈ  係止部
Ｎ  爪部１ｄの傾斜面
Ｌ  爪部１ｄの下面
Ｕ  ストッパー１ｉの上面
Ｅ  腕部６ｅの角部
Ｘ  爪部１ｄの傾斜角度
Ｙ  腕部６ｅの面取り角度
Ｚ  腕部６ｅの折り曲げ角度
【図１】
0003799156.tif 000002
【図２】
0003799156.tif 000003
【図３】
0003799156.tif 000004
【図４】
0003799156.tif 000005
【図５】
0003799156.tif 000006
【図６】
0003799156.tif 000007